(57)【要約】【課題】溝付き陳列棚と欄干型陳列什器の双方に装着可能なプライスカード用レールを提供すること。【解決手段】所定寸法とした透明な正面板４と、正面板４の背面側に位置するようにして正面板４の下端部分に可動自在に連結された第一背面板５と、第一背面板５の背面側に位置するようにして第一背面板５の下端部分に可動自在に連結された第二背面板７と、第一背面板５の背面側に位置するようにして第一背面板５の上端部分に可動自在に連結された支持板１０と、支持板１０の下端部分に連設された係止板１１と、支持板１０の任意の箇所において支持板１０の背面側に向けて連設された嵌合凹部１２と、を有するプライスカード用レール本体２と、前記嵌合凹部１２に嵌合可能な嵌合部１３を有するとともに、陳列什器の欄干等に係止可能な係止空間１７を備えた取付部材３と、を備えた。【選択図】図１
2005118405.tif 000002
【特許請求の範囲】
【請求項１】
陳列棚等の陳列什器に陳列される商品のプライスカード等を保持しつつ前記陳列什器に装着されるプライスカードレールであって、
所定寸法とした透明な正面板（４）と、
該正面板（４）の背面側に位置するようにして前記正面板（４）の下端部分に可動自在に連結された、前記正面板（４）とほぼ同一寸法の第一背面板（５）と、
該第一背面板（５）の背面側に位置するようにして前記第一背面板（５）の下端部分に可動自在に連結された、前記第一背面板（５）よりも高さ寸法が小さい第二背面板（７）と、
前記第一背面板（５）の背面側に位置するようにして前記第一背面板（５）の上端部分に可動自在に連結された支持板（１０）と、
該支持板（１０）の下端部分に連設された係止板（１１）と、
前記支持板（１０）の任意の箇所において前記支持板（１０）の背面側に向けて連設された嵌合凹部（１２）と、を有するプライスカード用レール本体（２）と、
前記嵌合凹部（１２）に嵌合可能な嵌合部（１３）を有するとともに、陳列什器の欄干等に係止可能な係止空間（１７）を備えた取付部材（３）と、
を備えたことを特徴とするプライスカード用レール。
【請求項２】
陳列棚等の陳列什器に陳列される商品のプライスカード等を保持しつつ前記陳列什器に装着されるプライスカード用レールであって、
所定寸法とした透明な正面板（４）と、
該正面板（４）の背面側に位置するようにして前記正面板（２）の下端部分に可動自在に連結された、前記正面板（４）とほぼ同一寸法の第一背面板（５）と、
該第一背面板（５）の背面側に位置するようにして前記第一背面板（５）の下端部分に可動自在に連結された、前記第一背面板（５）よりも高さ寸法が小さい第二背面板（７）と、
前記第一背面板（５）の背面側に位置するようにして前記第一背面板（５）の上端部分に可動自在に連結された支持板（１０）と、
該支持板（１０）の下端部分に連設された、その先端部に係止爪部（１１０１）を有するとともに、該係止爪部（１１０１）を形成した側と反対側における任意の箇所に係止突起部（１１０２）を備えた係止板（１１）と、
前記支持板（１０）の任意の箇所において前記支持板（１０）の背面側に向けて連設された嵌合凹部（１２）と、を有するプライスカード用レール本体（２）と、
前記嵌合凹部（１２）に嵌合可能な嵌合部（１３）を有するとともに、陳列什器の欄干等に係止可能な係止空間（１７）を備えた取付部材（３）と、
を備えたことを特徴とするプライスカード用レール。
【請求項３】
陳列棚等の陳列什器に陳列される商品のプライスカード等を保持しつつ前記陳列什器に装着されるプライスカード用レールであって、
所定寸法とした透明な正面板（４）と、
該正面板（４）の背面側に位置するようにして前記正面板（４）の下端部分に可動自在に連結された、前記正面板（４）とほぼ同一寸法の第一背面板（５）と、
該第一背面板（５）の背面側に位置するようにして前記第一背面板（５）の下端部分に可動自在に連結された、前記第一背面板（５）よりも高さ寸法が小さい第二背面板（７）と、
前記第一背面板（５）の背面側に位置するようにして前記第一背面板（５）の上端部分に可動自在に連結された支持板（１０）と、
該支持板（１０）の下端部分に連設された、その先端部に係止爪部（１１０１）を有するとともに、該係止爪部（１１０１）を形成した側と反対側における任意の箇所に係止突起部（１１０２）を備えた係止板（１１）と、
前記支持板（１０）の任意の箇所において前記支持板（１０）の背面側に向けて連結された嵌合凹部（１２）と、を有することを特徴とするプライスカード用レール。
【請求項４】
少なくとも、所定寸法とした透明な正面板と、該正面板の背面側に位置するようにして前記正面板の下端部分に可動自在に連結された背面板と、該背面板の背面側に位置するようにして前記背面板の上端部分に可動自在に連結された支持板と、該支持板の下端部分に連設された係止板と、前記支持板の任意の箇所において前記支持板の背面側に向けて連設された嵌合凹部と、を有するプライスカード用レールを、欄干等の立ち上がり部を有する陳列什器に装着するために用いる取付部材であって、
前記嵌合凹部に嵌合可能な嵌合部（１３）と、陳列什器の欄干に係止可能な係止空間（１７）と、を有することを特徴とするプライスカード用レールに用いる取付部材。
【発明の詳細な説明】
【技術分野】
【０００１】
本発明は、スーパーマーケットやドラッグストアにおいて、陳列什器に陳列される陳列品の価格等を告知するために用いられるプライスカード用レールに係り、より詳しくは、溝付きの陳列棚及び欄干を有する陳列什器の双方に装着可能なプライスカード用レールに関する。
【背景技術】
【０００２】
従来から、スーパーマーケットやドラッグストアにおいて、ゴンドラ等の陳列棚に陳列品の定価等を告知するに際しては、特開２００１−２５８６９８号公報、実用新案登録第３０９５７１２号公報、実用新案登録第３０９６０２２号公報に記載されるようなプライスカード用のレールが用いられていた。
【０００３】
即ち、これらのプライスカード用のレールでは、正面板と背面板を備えてこの正面板及び背面板間にプライスカード等を挟持可能にするとともに、陳列棚に形成された溝内に挿入係止可能な係止片を備えており、正面板と背面板間にプライスカード等を挟持するとともに係止片を陳列棚に形成された溝内に挿入することにより、容易に陳列什器にプライスカード等を装着可能としている。
【０００４】
また、これらのプライスカード用のレールでは、プライスカード等を挟持可能な挟持部を複数箇所に設けて、これにより複数枚のプライスカード等を装着可能としている。
【特許文献１】特開２００１−２５８６９８号公報
【特許文献２】実用新案登録第３０９５７１２号公報
【特許文献３】実用新案登録第３０９６０２２号公報
【発明の開示】
【発明が解決しようとする課題】
【０００５】
ところで、スーパーマーケット、ドラッグストア等で商品の陳列に用いられている陳列什器には、前述したような溝付きの陳列棚のほかに、このような溝を有さないものが存在している。
【０００６】
即ち、このような溝を有さないものは、一般的に欄干等の立ち上がり部を有しており、この欄干等にクリップ等を用いてプライスカード等を装着する構造となっている。そのため、陳列什器に形成された溝の中に係止片を挿入係止することによって陳列棚にプライスカードレールを装着する構造としている前述した従来のプライスカードレールでは、このような、溝を有さない、いわゆる欄干等を有している陳列什器に装着することは不可能である。そのために、このような欄干型の陳列什器にプライスカードを装着する場合には、欄干に係止可能な構造を有するプライスカードレールを用いなければならず、商品のアイテム数が増えてしまうという問題点が考えられる。
【０００７】
そこで、本発明は、溝付き陳列棚と欄干型陳列什器の双方に装着可能なプライスカード用レールを提供することを課題としている。
【課題を解決するための手段】
【０００８】
本発明のプライスカード用レールは、陳列棚等の陳列什器に陳列される商品のプライスカード等を保持しつつ前記陳列什器に装着されるプライスカード用レールであって、所定寸法とした透明な正面板と、該正面板の背面側に位置するようにして前記正面板の下端部分に可動自在に連結された、前記正面板とほぼ同一寸法の第一背面板と、該第一背面板の背面側に位置するようにして前記第一背面板の下端部分に可動自在に連結された、前記第一背面板よりも高さ寸法が小さい第二背面板と、前記第一背面板の背面側に位置するようにして前記第一背面板の上端部分に可動自在に連結された支持板と、該支持板の下端部分に連設された係止板部と、前記支持板の任意の箇所において前記支持板の背面側に向けて連設された嵌合凹部と、を有するプライスカード用レール本体と、前記嵌合凹部に嵌合可能な嵌合部を有するとともに、陳列什器の欄干に係止可能な係止空間を備えた取付部材と、備えたことを特徴としている。
【発明の効果】
【０００９】
本発明のプライスカード用レールでは、プライスカード用レール本体と、このプライスカード用レール本体に装着可能な取付部材とにより構成されており、プライスカード用レール本体は、正面板と第一及び第二背面板を備えて、正面板と第一背面板間、及び第一背面板と第二背面板間にプライスカード等を挟持可能にしているとともに、陳列棚の溝に挿入される係止板部が連設された支持板を有しており、これにより、プライスカード等を挟持した状態で、溝を有する陳列棚に装着可能としている。
【００１０】
また、取付部材は、プライスカード用レール本体に嵌合される嵌合部を有するとともに、陳列什器の欄干に係止可能な係止空間を有しており、これにより、これを前記プライスカードレールに装着することで、前記プライスカードレールを、欄干型の陳列什器に装着することが可能である。
【００１１】
従って、本発明のプライスカード用レールでは、溝を有する陳列棚に装着することができるのみならず、溝を有さない、いわゆる欄干型の陳列什器にもこれを装着することが可能である。
【発明を実施するための最良の形態】
【００１２】
本発明のプライスカード用レールは、プライスカード用レール本体と、このプライスカード用レール本体に連結可能な取付部材とにより構成されており、プライスカード用レール本体は、所定寸法とした透明な正面板を備え、この正面板の背面側には、正面板とほぼ同一の形状寸法とした第一背面板が、その下端部分が正面板の下端部分に可動自在に連結される形態で備えられている。
【００１３】
また、第一背面板の背面側には、第一背面板よりも高さ寸法が小さい第二背面板が備えられており、第一背面板と第二背面板とは、それぞれの下端部分において、互いに可動自在に連結されている。
【００１４】
更に、第一背面板の背面側には支持板が備えられるとともに、第一背面板と支持板とはそれぞれの上端部分において可動自在に連結されている。
【００１５】
そして、支持板の下端部分には、陳列棚の溝に挿入される係止板部が連設されており、更に、支持板の任意の箇所における背面側には、嵌合凹部が形成されている。
【００１６】
一方、取付部材は、プライスカード用レール本体における支持板に連設された嵌合凹部に嵌合可能な嵌合部を有しており。この嵌合部を前記支持板に連設した嵌合凹部に嵌合させることによってプライスカード用レール本体に連結可能としている。
【００１７】
また、取付部材は、係止空間を有し、この係止空間を陳列什器の欄干に係止することによって、欄干型の陳列什器に装着可能としている。
【００１８】
ここで、プライスカード用レール本体における係止板部の先端部に係止爪部を形成するとともに、この係止爪部を形成した側と反対側における任意の箇所に係止突起部を備えるとよい。これにより、係止板部の厚さ寸法に対して陳列棚における溝の厚さ寸法が大きい場合であっても、係止爪部と係止突起部とにより、プライスカード用レール本体が溝から抜け落ちることを有効に防止可能である。
【実施例１】
【００１９】
本発明のプライスカード用レールの実施例について図面を参照して説明すると、図１は本実施例のプライスカード用レールを示す斜視図であり、図において
１が本実施例のプライスカード用レールである。
【００２０】
そして、本実施例のプライスカード用レール１は、複数枚のプライスカード等を挟持可能なプライスカード用レール本体と、このプライスカード用レール本体に連結される取付部材を有しており、溝付きの陳列棚に装着する場合にはプライスカード用レール本体のみを用いて、欄また、欄干型の陳列什器に装着する場合には、プライスカード用レール本体に取付部材を連結させた状態で取付部材を欄干に係止し、これによってプライスカード等を陳列什器に装着可能としている。
【００２１】
即ち、図において２がプライスカード用レール本体であり、本実施例においてプライスカード用レール本体は、ＰＥＴ樹脂により形成した、所定の大きさの透明な正面板４を備えており、この正面板４の背面側には、前記正面板４とほぼ同一の形状寸法にするとともに前記正面板と同様にＰＥＴ樹脂により形成した透明な第一背面板５が備えられている。
【００２２】
そして、前記正面板４と第一背面板５はそれぞれの下端部分において互いにわずかに回動自在に連結されており、これにより、正面板４と第一背面板５間に、プライスカード等を挟持可能な第一の挟持空間６が形成されている。
【００２３】
次に、前記第一背面板５における背面側には、その下端部が前記第一背面板５の下端部に、わずかに回動自在に連結される形態で、前記第一背面板５と略同一長さの幅寸法を有するとともに第一背面板５よりも高さ寸法が小さい第二背面板７備えられている。そして、これにより、第一背面板５と第二背面板７間に、第二の挟持空間８が形成されている。
【００２４】
そのために、本実施例のプライスカード用レール１では、少なくとも２枚のプライスカード等を挟持することが可能であり、例えば、特定の商品について、この商品の通常のプライスカードを第二の挟持空間８に挟持するとともに、特定の日時にこの商品に対するポップ紙を第一の挟持空間６に挟持することにより、通常のプライスカードを取り外すことなく、特定の日時におけるポップ表示等を行うことが可能となる。
【００２５】
次に、前記第二背面板７の上端部には、軟質のＰＥＴ樹脂により形成したヒンジ部９を介して、第一背面板７の背面側に位置するようにして支持板１０が連結されており、本実施例においてこの支持板１０は、前記正面板４等と同様に透明のＰＥＴ樹脂により形成している。
【００２６】
そして、本実施例においてこの支持板１０は、その幅方向の長さ寸法を前記第一背面板５とほぼ同一にするとともに、高さ寸法は前記第一背面板５の高さ寸法よりも小さくしており、更に、その先端部には、陳列棚の溝内に挿入係止される係止部１１が連設されており、本実施例においてこの係止部１１は、その幅方向の長さ寸法を前記支持板１０とほぼ同一にしている。
【００２７】
ここで、前記係止部１１について説明すると、図２は、前記プライスカード用レール本体２の側面形状を示した図であり、図２において、係止部１１の先端部には、プライスカード用レール本体２の背面側に向けて係止爪部１１０１が形成されており、この係止爪部１１０１が形成された側と反対側において、係止爪部１１０１よりもわずかに上側には、プライスカード用レール本体２の正面側に向けて、突起部１１０２が形成されている。そしてこれにより、陳列棚の溝内の厚さ寸法が係止部１１の厚さ寸法よりも大きい場合には係止部１１が抜け落ちることを防止している。
【００２８】
即ち、陳列棚の寸法はメーカーにより異なっており、陳列棚に形成される溝の奥行き方向の寸法（「厚さ寸法」）も一様ではない。そのため、溝の厚さ寸法が係止部１１の厚さ寸法よりも大きい場合には、溝に挿入した係止部１１が抜け落ちてしまうおそれがある。しかしながら、本実施例においては、係止部１１の先端部に係止爪部１１０１を形成するとともに、この係止爪部１１０２を形成した側と反対側において突起部１１０２を形成しているために、溝の厚さ寸法が係止部の厚さ寸法よりも小さく溝の内壁と係止部との間に空間が生じてしまう場合には、係止爪部１１０１と突起部１１０２によって空間を無くすることによって係止部１１の係止状態を強固にして係止部１１が溝から抜け落ちることを防止することが可能であり、一方、溝の厚さ寸法が係止部１１の厚さ寸法と略同一あるいは小さい場合には係止状態をより強固にすることができる。なお、図２において９は前述したヒンジ部であり、図２においては、他の部分との境を明確にするために斜線で示してある。
【００２９】
次に、前記支持板１０の背面側には、支持板１０の高さ方向における任意の箇所において、その長手方向（幅方向）に沿った全域において、凹状の嵌合凹部１２が連設され、この嵌合凹部１２内に、後述する取付部材３や、あるいは商品の仕切板等を連結可能としている。
【００３０】
次に、前記取付部材３について説明すると、図１において３が取付部材であり、本実施例においてこの取付部材３は、前記嵌合凹部１２に嵌合可能な嵌合部１３を有しており、この嵌合部１３を前記嵌合凹部１２内に嵌合することによって前記プライスカード用レール本体２に連結可能としている。
【００３１】
そして、前記嵌合部１３の上端には、所定の高さ寸法とした前壁部１４が連設されるとともに、この前壁部１４の上端部には、前壁部１４に略直交する背面側に向けて天井部１５が連設され、更に、この天井部１５の後端には前記前壁部１４と略同一方向に向けて後壁部１６が連設されており、前壁部１４、天井部１５及び後壁部１６によって係止空間１７が形成されている。そしてこれにより、この係止空間１７を欄干等に係止することによって、取付部材３を欄干型の陳列什器に装着可能としている。なお、図において１８は取付部材３を欄干等に係止した際にこれが抜け落ちることを防止するための抜け止め防止片である。
【００３２】
次に、このように構成される本実施例のプライスカード用レールの使用方法について説明すると、図３において、１９は陳列棚であり、また、１９０１はこの陳列棚１９における前面側に形成された溝であり、本実施例のプライスカード用レールを用いて溝付きの陳列棚１９にプライスカード等を装着する場合には、第一の挟持部６及び第二の挟持部８内にプライスカード、ポップ広告等を挟持するとともに、係止部１１を陳列棚１９の溝１９０１内に挿入する。そうすると、溝付きの陳列棚１９にプライスカード用レール本体２を装着可能であるとともに、これにより、プライスカード等を陳列棚１９に備えることが可能となる。
【００３３】
そしてこのとき、本実施例のプライスカード用レール１では、第一背面板５と支持板１０とを、軟質のＰＥＴ樹脂により形成したヒンジ部９によって連結しているために、支持板１０に対して第二背面板５を大きく回動することができ、これにより、図４に示すように、第二背面板５を回動することで、プライスカード用レール１を装着したままの状態で、陳列棚１９の見付部分１９０２を見ることが可能である。
【００３４】
次に、溝を有さない一方、欄干等を有している欄干型の陳列什器にプライスカード等を備える場合には、前述の場合と同様にして、第一の挟持部６及び第二の挟持部８内にプライスカード、ポップ広告等を挟持するとともに、プライスカード用レール本体２に前記取付部材３を連結し、更にその状態で、図５に示すように、取付部材３の係止空間１７を、陳列什器２０における欄干２００１等の立ち上がりに係止する。そうすると、これにより、前述の場合と同様に、プライスカード等を陳列什器２０に備えることが可能となる。そしてこの場合にも、第二背面板５を回動することにより、プライスカード用レール１を装着したままの状態で、陳列什器２０の見付部分２００２を見ることが可能である。
【００３５】
このように、本実施例のプライスカード用レールは、溝付きの陳列棚および、溝を有さない、いわゆる欄干型の陳列什器の双方に装着することができるため、陳列什器の種類に合わせて商品アイテムを増やす必要が無くなった。
【産業上の利用可能性】
【００３６】
本発明のプライスカード用レールでは、係止空間１７を有する取付部材３をプライスカード用レール本体２に連結することで、溝を有さない陳列什器にもプライスカード用レール本体を装着することができるために、欄干型の陳列什器のみならず、係止空間を係止可能な立ち上がりを有するすべての陳列什器に適用可能である。
【図面の簡単な説明】
【００３７】
【図１】本発明のプライスカード用レールの実施例を説明するための斜視図である。
【図２】本発明のプライスカード用レールの実施例におけるプライスカード用レール本体の側面形状を示す図である。
【図３】本発明のプライスカード用レールの実施例を溝付きの陳列棚に装着する場合を説明する図である。
【図４】本発明のプライスカード用レールの実施例を溝付きの陳列棚に装着する場合を説明する図である。
【図５】本発明のプライスカード用レールの実施例を欄干型の陳列什器に装着する場合を説明する図である。
【符号の説明】
【００３８】
１    プライスカード用レール
２    プライスカード用レール本体
３    取付部材
４    正面板
５    第一背面板
６    第一の挟持部
７    第二背面板
８    第二の挟持部
９    ヒンジ
１０    支持板
１１    係止部
１１０１    係止爪部
１１０２    係止突起部
１２    嵌合凹部
１３    嵌合部
１４    前壁部
１５    天井部
１６    後壁部
１７    係止空間
１８    抜け止め防止片
【図１】
2005118405.tif 000003
【図２】
2005118405.tif 000004
【図３】
2005118405.tif 000005
【図４】
2005118405.tif 000006
【図５】
2005118405.tif 000007